(57)【要約】【課題】  音楽情報配信システム及びカラオケシステムの利用を相補的に促進する連携システムを提供する。【解決手段】  カラオケシステム８の利用結果をそのカラオケシステム８の顧客或いは利用機器による音楽情報配信システム６の音楽情報の配信に反映させる利用結果反映手段１４８を含むことから、その音楽情報配信システム６において特典を得るために前記カラオケシステム８の利用が促進され、延いてはそれら双方の利用促進が実現される。すなわち、音楽情報配信システム６及びカラオケシステム８の利用を相補的に促進する連携システム１０を提供することができる。【選択図】  図６
2006106285.tif 000002
【特許請求の範囲】
【請求項１】
複数の携帯電話機へ音楽情報を配信する音楽情報配信システムと、多数のカラオケ演奏曲のうちから選択される所定のカラオケ演奏曲を出力させるカラオケシステムとの連携システムであって、
該カラオケシステムの利用結果を該カラオケシステムの顧客或いは利用機器による前記音楽情報の配信に反映させる利用結果反映手段を含むことを特徴とする連携システム。
【請求項２】
前記音楽情報配信システムは、顧客毎に定められたポイントの消費と引き換えに前記音楽情報を配信するものであり、前記利用結果反映手段は、前記カラオケシステムの利用結果に応じて前記ポイントを加算するものである請求項１の連携システム。
【請求項３】
前記利用結果反映手段は、前記カラオケ演奏曲の演奏曲数に応じて前記ポイントを加算するものである請求項２の連携システム。
【請求項４】
前記利用結果反映手段は、前記カラオケ演奏曲の演奏時間に応じて前記ポイントを加算するものである請求項２の連携システム。
【請求項５】
前記携帯電話機は、前記カラオケシステムへの入力を行うための利用機器として機能するものであり、該カラオケシステムは、前記携帯電話機による入力に応じて該携帯電話機の識別情報を含む利用結果を前記音楽情報配信システムに通知する利用結果通知手段を含むものである請求項１から４の何れかの連携システム。
【請求項６】
前記カラオケシステムは、該カラオケシステムの利用結果を示す二次元コードを表示させるものであり、前記携帯電話機は、所定の撮像装置により該二次元コードを撮像することで前記利用結果を前記音楽情報配信システムに通知し得るものである請求項１から４の何れかの連携システム。
【請求項７】
複数の携帯電話機へ音楽情報を配信する音楽情報配信システムと、所定の通信回線を利用してカラオケサービスを提供するカラオケシステムとの連携システムであって、
前記音楽情報配信システムの配信結果を該音楽情報配信システムの顧客或いは利用機器による前記カラオケサービスに反映させる配信結果反映手段を含むことを特徴とする連携システム。
【請求項８】
前記配信結果反映手段は、所定の顧客による前記音楽情報のダウンロード数に応じて所定の情報を提供するものである請求項７の連携システム。
【発明の詳細な説明】
【技術分野】
【０００１】
本発明は、複数の携帯電話機へ音楽情報を配信する音楽情報配信システムと、多数のカラオケ演奏曲のうちから選択される所定のカラオケ演奏曲を出力させるカラオケシステムとの連携システムに関する。
【背景技術】
【０００２】
所定の通信回線を介してセンタ装置から複数の携帯電話機へコンテンツを配信するコンテンツ配信システムが知られている。例えば、複数の携帯電話機へ着信メロディ情報等の音楽情報を配信する音楽情報配信システムがそれである。斯かるコンテンツ配信システムは、近年における通信技術の向上に伴いコンテンツビジネスの中核として更なる発展が期待されている。
【０００３】
斯かるコンテンツ配信システムに関して、複数種類のコンテンツ配信システムを連携させる技術が提案されている。例えば、特許文献１に記載された携帯端末の通信ネットワーク利用システムがそれである。この技術によれば、複数種類のコンテンツ配信システム間でポイントを仮想の通貨のように機能させることで、所定のコンテンツ配信システムのポイントが残りわずかとなった場合に、他のコンテンツ配信システムの余剰ポイントを使う等といった利用が可能とされ、上記複数種類のコンテンツ配信システムの利便性を向上させることができる。
【０００４】
【特許文献１】特開２００３−１２３０１０号公報
【０００５】
しかし、前記従来の技術は、複数種類のコンテンツ配信システムにて共通のポイントを利用することで利便性を向上させるものではあったが、顧客にとってそれ以外に何ら利点はなく、コンテンツ配信システムの利用を積極的に促進し得るものではなかった。
【０００６】
ところで、多数のカラオケ演奏曲のうちから選択される所定のカラオケ演奏曲を出力させるカラオケ装置が知られている。このカラオケ装置は、例えば、カラオケボックス等に設置されて利用されるものであり、所定の音楽情報に基づいて上記カラオケ演奏曲の演奏音を出力させると共に、そのカラオケ演奏曲の歌詞情報を含む映像をその出力に同期して画面に表示させることで、所望の歌のカラオケ演奏を楽しむことができる。
【０００７】
斯かるカラオケ装置を運用するためのカラオケシステムの一態様として、所定の通信回線を利用してカラオケサービスを提供する通信カラオケシステムが普及している。この通信カラオケシステムは、所定の通信回線を介してセンタ装置から複数のカラオケ装置へカラオケ演奏曲を出力させるためのカラオケ情報を配信するものである。このようにして配信されるカラオケ情報は、上記演奏音を出力させるための音楽情報を含むものであり、前述した携帯電話機を配信対象とする音楽情報配信システムと様々な共通点を有する。本発明者は、前記音楽情報配信システム及びカラオケシステムの利用を促進する技術を模索する過程で斯かる共通点に着目し、それらを連携させることで相補的に利用を促進する技術を発案するに至った。
【発明の開示】
【発明が解決しようとする課題】
【０００８】
本発明は、以上の事情を背景として為されたものであり、その目的とするところは、音楽情報配信システム及びカラオケシステムの利用を相補的に促進する連携システムを提供することにある。
【課題を解決するための手段】
【０００９】
斯かる目的を達成するために、本第１発明の要旨とするところは、複数の携帯電話機へ音楽情報を配信する音楽情報配信システムと、多数のカラオケ演奏曲のうちから選択される所定のカラオケ演奏曲を出力させるカラオケシステムとの連携システムであって、そのカラオケシステムの利用結果をそのカラオケシステムの顧客或いは利用機器による前記音楽情報の配信に反映させる利用結果反映手段を含むことを特徴とするものである。
【００１０】
また、前記目的を達成するために、本第２発明の要旨とするところは、複数の携帯電話機へ音楽情報を配信する音楽情報配信システムと、所定の通信回線を利用してカラオケサービスを提供するカラオケシステムとの連携システムであって、前記音楽情報配信システムの配信結果をその音楽情報配信システムの顧客或いは利用機器による前記カラオケサービスに反映させる配信結果反映手段を含むことを特徴とするものである。
【発明の効果】
【００１１】
このように、前記第１発明によれば、前記カラオケシステムの利用結果をそのカラオケシステムの顧客或いは利用機器による前記音楽情報の配信に反映させる利用結果反映手段を含むことから、前記音楽情報配信システムにおいて特典を得るために前記カラオケシステムの利用が促進され、延いてはそれら双方の利用促進が実現される。すなわち、音楽情報配信システム及びカラオケシステムの利用を相補的に促進する連携システムを提供することができる。
【００１２】
ここで、前記第１発明において、好適には、前記音楽情報配信システムは、顧客毎に定められたポイントの消費と引き換えに前記音楽情報を配信するものであり、前記利用結果反映手段は、前記カラオケシステムの利用結果に応じて前記ポイントを加算するものである。このようにすれば、前記音楽情報をダウンロードするためのポイントを得るために前記カラオケシステムの利用が促進されるという利点がある。
【００１３】
また、好適には、前記利用結果反映手段は、前記カラオケ演奏曲の演奏曲数に応じて前記ポイントを加算するものである。このようにすれば、実用的な態様で前記音楽情報配信システム及びカラオケシステムの利用を相補的に促進できるという利点がある。
【００１４】
また、好適には、前記利用結果反映手段は、前記カラオケ演奏曲の演奏時間に応じて前記ポイントを加算するものである。このようにすれば、実用的な態様で前記音楽情報配信システム及びカラオケシステムの利用を相補的に促進できるという利点がある。
【００１５】
また、好適には、前記携帯電話機は、前記カラオケシステムへの入力を行うための利用機器として機能するものであり、そのカラオケシステムは、前記携帯電話機による入力に応じてその携帯電話機の識別情報を含む利用結果を前記音楽情報配信システムに通知する利用結果通知手段を含むものである。このようにすれば、前記音楽情報配信システム及びカラオケシステムに共通して用いられる携帯電話機を介して前記利用結果を通知することで、実用的な態様で前記音楽情報配信システム及びカラオケシステムの利用を相補的に促進できるという利点がある。
【００１６】
また、好適には、前記カラオケシステムは、そのカラオケシステムの利用結果を示す二次元コードを表示させるものであり、前記携帯電話機は、所定の撮像装置によりその二次元コードを撮像することで前記利用結果を前記音楽情報配信システムに通知し得るものである。このようにすれば、前記音楽情報配信システム及びカラオケシステムに共通して用いられる携帯電話機を介して前記利用結果を通知することで、実用的な態様で前記音楽情報配信システム及びカラオケシステムの利用を相補的に促進できるという利点がある。
【００１７】
また、前記第２発明によれば、前記音楽情報配信システムの配信結果をその音楽情報配信システムの顧客或いは利用機器による前記カラオケサービスに反映させる配信結果反映手段を含むことから、前記カラオケシステムにおいて特典を得るために前記音楽情報配信システムの利用が促進され、延いてはそれら双方の利用促進が実現される。すなわち、音楽情報配信システム及びカラオケシステムの利用を相補的に促進する連携システムを提供することができる。
【００１８】
ここで、前記第２発明において、好適には、前記配信結果反映手段は、所定の顧客による前記音楽情報のダウンロード数に応じて所定の情報を提供するものである。このようにすれば、例えば、未発表曲の演奏や所定のアーティストからのメッセージ等の特典情報を得るために前記音楽情報配信システムの利用が促進されるという利点がある。
【実施例】
【００１９】
以下、本発明の好適な実施例を図面に基づいて詳細に説明する。
【００２０】
図１は、本発明の一実施例である音楽情報配信システム６とカラオケシステム８との連携システム１０について説明する図である。カラオケボックス、スナック、旅館等の店舗、或いは一般家庭等にそれぞれ設置された複数のカラオケ装置１２は、公衆電話回線等による通信回線１４を介してカラオケサービス提供会社のセンタ装置であるカラオケサーバ１６に接続されている。このカラオケサーバ１６は、カラオケ情報をはじめとするデジタルコンテンツ（Digital Content）の保管や入出力管理等を行うサーバであり、上記カラオケ装置１２によって常に新しい曲が演奏可能とされるように、上記通信回線１４を介して複数のカラオケ装置１２に定期的に新譜カラオケ情報等の配信を行う。また、上記カラオケサービス提供会社によって運用される音楽情報配信サーバ１８が上記通信回線１４に接続されている。この音楽情報配信サーバ１８は、上記カラオケサーバ１６と同様に、着信メロディ情報等の音楽情報をはじめとするデジタルコンテンツの保管や入出力管理等を行うサーバであり、各地に設けられた複数の中継基地局２２を介して接続された複数の携帯電話機２０へ音楽情報の配信を行うと共に、上記通信回線１４を介して上記カラオケサーバ１６やカラオケ装置１２との間で情報の送受信が可能とされている。
【００２１】
図２は、上記カラオケシステム８におけるカラオケ装置１２の構成を例示するブロック線図である。この図２に示すように、上記カラオケ装置１２は、ＣＲＴ等の映像表示装置２４と、ディスクプレーヤ２６と、ビデオミキサ２８と、アンプミキサ３０と、スピーカ３２と、音声入力装置であるマイクロフォン３４と、操作パネル３６と、中央演算処理装置であるＣＰＵ３８と、ＲＯＭ４０と、ＲＡＭ４２と、記憶装置であるハードディスク４４と、モデム４６と、ＣＲＴコントローラ４８と、上記操作パネル３６等からの入力信号を処理する入出力インターフェイス５０と、音源であるシンセサイザ５２と、上記携帯電話機２０やリモコン装置６０等の入力装置からのリモコン信号を受信するためのリモコン受信部５６と、電子早見本装置６２等との間で無線ＬＡＮ通信を行うための無線ＬＡＮ通信部５８とを、備えて構成されている。
【００２２】
上記ＣＰＵ３８は、上記ＲＡＭ４２の一時記憶機能を利用しつつ上記ＲＯＭ４０に予め記憶された所定のプログラムに基づいて電子情報を処理・制御する所謂コンピュータであり、上記携帯電話機２０やリモコン装置６０等により所定のカラオケ演奏曲が選曲された場合、その選曲されたカラオケ演奏曲を上記ＲＡＭ４２に設けられた予約曲リストに登録したり、その予約曲リストの演奏順に従って上記ハードディスク４４から上記ＲＡＭ４２に選曲されたカラオケ演奏曲の演奏情報及び歌詞情報等を読み出したり、カラオケ演奏曲の演奏が進行するのに応じてそのＲＡＭ４２から上記シンセサイザ５２へ演奏情報を送信したり、歌詞情報に基づいて歌詞文字映像を生成して上記ＣＲＴコントローラ４８へ送ったり、選曲時には曲名文字映像を生成して上記ＣＲＴコントローラ４８へ送ったり、上記ディスクプレーヤ２６を制御して所定の背景映像を再生させる等の基本的な制御を実行する。
【００２３】
前記操作パネル３６は、前記カラオケ装置１２の利用者（顧客）が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１２には、前記操作パネル３６の一部機能を遠隔で実行するための入力装置として機能するリモコン装置６０及び電子早見本装置６２が備えられており、前記リモコン受信部５６は、それら入力装置から送信されるリモコン信号を受信して前記ＣＰＵ３８へ供給する。また、後述する図３に示すように、リモコン送信部９０を備えると共に所定のアプリケーションがインストールされた携帯電話機２０も同様に入力装置として機能し、上記リモコン受信部５６を介して選曲入力をはじめとする入力処理を行い得る。また、前記無線ＬＡＮ通信部５８は、前記電子早見本装置６２との間で無線ＬＡＮ通信を行うことによりその電子早見本装置６２からの選曲入力を受け付けたり、前記カラオケ装置１２から電子早見本装置６２へ所定の処理を実行させるための指令を送信したりというように、電波を介して前記カラオケ装置１２と電子早見本装置６２との間における相互の情報のやりとりを行う。
【００２４】
前記ディスクプレーヤ２６は、利用者が歌詞を参照しながら歌を歌う際に前記映像表示装置２４に表示される背景映像を記憶したＣＤやＤＶＤを再生する背景映像再生装置である。また、前記ＣＲＴコントローラ４８は、前記ＣＰＵ３８において生成された歌詞文字映像等の文字映像（テロップ）を出力する文字映像出力装置であり、前記ビデオミキサ２８は、前記ＣＰＵ３８において生成され且つ前記ＣＲＴコントローラ４８から出力される文字映像と、前記ディスクプレーヤ２６により再生される背景映像とを合成して前記映像表示装置２４に表示させる映像合成装置である。
【００２５】
前記シンセサイザ５２は、前記ハードディスク４４から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ５２により生成された音楽信号は、アナログ信号に変換されて前記アンプミキサ３０へ送られる。そのアンプミキサ３０では、送られてきた音楽信号と前記マイクロフォン３４を介して入力される利用者の歌声とがミキシングされ、それらの信号が電気的に増幅されて前記スピーカ３２から出力される。
【００２６】
前記ハードディスク４４には、前記演奏曲を出力させるための多数のカラオケ情報を記憶するカラオケデータベースが設けられている。前記モデム４６は、前記カラオケ装置１２を前記通信回線１４に接続するための装置である。カラオケボックス等の店舗にそれぞれ備えられた複数のカラオケ装置１２は、前記通信回線１４を介して前記カラオケサーバ１６に接続されており、それら複数のカラオケ装置１２によって常に新しい曲が演奏可能とされるように随時新たなカラオケ情報が前記カラオケサーバ１６から前記通信回線１４を介して配信され、前記ハードディスク４４のカラオケデータベースに記憶されるようになっている。すなわち、前記カラオケ装置１２は、電気通信回線を通じて各種情報の送受信を実行し得る通信カラオケ装置である。
【００２７】
図３は、前記携帯電話機２０の構成を例示するブロック線図である。この図３に示す制御部６４は、ＲＯＭ６６に予め記憶されたプログラムに従って入力信号を処理するマイクロコンピュータであり、所定の文字ボタン等を備えた操作部６８からの入力に従って文字入力が実行されるように制御したり、その操作部６８から入力された電話番号に従って通信或いは通話チャンネルを成立させると共に相互の通信或いは通話が可能となるように制御したり、その操作部６８から入力されたＵＲＬに従って所定のウェブサイトにアクセスしたり、メールの作成及び送受信を制御する等の基本的な制御を実行する。また、前記携帯電話機２０にはフラッシュＲＯＭ等の記憶部８６が備えられており、音楽情報や映像情報をはじめとする種々の情報を記憶し得るようになっている。
【００２８】
前記携帯電話機２０の通話状態においては、アンテナ７２を介して送受信部７４に受けた通話信号等がモデム部７６を介して音声コーディック部７８においてデジタルコード信号から音声信号に変換され、アナログフロントエンド８０により音声出力装置であるスピーカ８２が駆動されて音声が出力される。同時に、音声入力装置であるマイクロフォン８４により音声から変換された音声信号が上記アナログフロントエンド８０を介して上記音声コーディック部７８に送られてそこでデジタル信号に変換され、上記モデム部７６、送受信部７４、及びアンテナ７２を介して送信される。また、通信状態において、上記制御部６４は、上記操作部６８から入力された信号を通信先へ送信すると同時に、通信先から受信された信号を表示部７０に表示させる。また、他の通信端末からの着信があったと判定される場合には、記憶部８６に設けられた着信メロディデータベース９２に予め記憶されたメロディ情報を読み出し、その着信メロディ情報に基づいて音源部９４により所定のメロディ（呼出音）を発生させて上記スピーカ８２から出力させたり、呼出音非出力モードにおいては図示しないバイブレータを駆動させて振動を発生させたりする。ここで、上記着信メロディ情報は、例えば、ＭＩＤＩ形式の音楽情報であり、上記音源部９４は、そのＭＩＤＩデータに基づいて演奏音を発生させるＭＩＤＩ音源である。また、前記携帯電話機２０は、撮像装置であるＣＣＤ撮像部８８を備えていることで、静止画や動画を撮像し得る所謂デジタルカメラとしても機能する。すなわち、上記操作部６８のシャッタボタンが押されることにより所定のレンズを介して映像が取り込まれ、その映像がＣＣＤにより映像信号に変換された後、上記記憶部８６に記憶される。
【００２９】
図３に示すように、前記制御部６４には、所定のアプリケーションがインストールされることでリモコン信号送信手段９６及び二次元コード解析手段９８が機能的に備えられている。このリモコン信号送信手段９６は、前記カラオケ装置１２に対して選曲入力や各種調整を行うためのリモコン信号をリモコン送信部８８を介して送信する。このように、前記携帯電話機２０は、前記カラオケシステム８の利用機器すなわち前記操作パネル３６の一部機能を遠隔で実行するための入力装置として機能する。また、二次元コード解析手段９８は、前記ＣＣＤ撮像部８８により撮像されて画像として取り込まれた後述する二次元コードを解析して、その二次元コードにより示される情報を読み出す。例えば、斯かる二次元コードにより示される文字列を読み出し、その文字列をＵＲＬとする所定のウェブサイトにアクセスする。
【００３０】
図４は、前記カラオケシステム８におけるカラオケサーバ１６の構成を説明するブロック線図である。この図４に示すように、前記カラオケサーバ１６は、中央演算処理装置であるＣＰＵ１００によりＲＡＭ１０４の一時記憶機能を利用しつつＲＯＭ１０２に予め記憶されたプログラムに従って信号処理を行う所謂マイクロコンピュータシステムを備えている。また、ＣＲＴコントローラ１０６により制御されるＣＲＴ等の映像表示装置１０８、インターフェイス１１０を介して接続される入力装置であるキーボード１１２、ハードディスク等の記憶装置１１４、及びＣＰＵ１００等を前記通信回線１４に接続するための装置であるモデム１１６を備えている。
【００３１】
上記記憶装置１１４には、前記カラオケ装置１２に配信するためのカラオケ情報を記憶するためのカラオケデータベース１１８と、前記カラオケ装置１２に配信するための所定の特典情報を記憶するための特典データベース１２０とが設けられている。前記カラオケサーバ１６は、前記通信回線１４を介して前記複数のカラオケ装置１２に接続されており、それら複数のカラオケ装置１２によって常に新しい曲が演奏可能とされるように、随時新たなカラオケ情報を前記通信回線１４を介して送信できるようになっている。また、後述する音楽情報配信システム６との連携制御のために、所定の特典情報を前記通信回線１４を介して前記カラオケ装置１２へ送信できるようになっている。
【００３２】
図５は、前記音楽情報配信システム６における音楽情報配信サーバ１８の構成を説明するブロック線図である。この図５に示すように、前記音楽情報配信サーバ１８は、中央演算処理装置であるＣＰＵ１２２によりＲＡＭ１２６の一時記憶機能を利用しつつＲＯＭ１２４に予め記憶されたプログラムに従って信号処理を行う所謂マイクロコンピュータシステムを備えている。また、ＣＲＴコントローラ１２８により制御されるＣＲＴ等の映像表示装置１３０、インターフェイス１３２を介して接続される入力装置であるキーボード１３４、ハードディスク等の記憶装置１３６、及びＣＰＵ１２２等を前記通信回線１４に接続するための装置であるモデム１３８を備えている。
【００３３】
上記記憶装置１３６には、前記携帯電話機２０へ配信するための着信メロディ情報を記憶する着信メロディデータベース１４０と、着信メロディ情報の配信と引き換えに消費されるポイントを顧客毎に記憶する顧客別ポイントデータベース１４２とが設けられている。前記音楽情報配信サーバ１８は、前記通信回線１４及び中継基地局２２を介して前記複数の携帯電話機２０に接続され、それら携帯電話機２０からの要求に応じて前記着信メロディデータベース１４０に記憶された着信メロディ情報を配信するものである。この着信メロディ情報の配信は、上記顧客別ポイントデータベース１４２に記憶されたポイントの消費と引き換えに行われる。斯かるポイントは、例えば、前記音楽情報配信システム６の各顧客に毎月１５ｐずつ付与されるものであり、１曲分の着信メロディ情報がダウンロードされる毎にその顧客のポイントが１ｐ消費される仕組みになっている。そして、ポイントが０ｐとなった段階で原則としてその月の配信サービスは終了とされ、新たな着信メロディ情報をダウンロードすることはできなくなる。
【００３４】
図６は、前記連携システム１０に備えられた制御機能の要部を説明する機能ブロック線図である。この図６において、利用結果通知手段１４６及び配信結果反映手段１５０は、前記カラオケサーバ１６のＣＰＵ１００に機能的に備えられたものであり、配信手段１４４及び利用結果反映手段１４８は、前記音楽情報配信サーバ１８のＣＰＵ１２２に機能的に備えられたものである。
【００３５】
配信手段１４４は、前記携帯電話機２０からの要求に応じてその携帯電話機２０へ所定の着信メロディ情報を配信する。具体的には、前記携帯電話機２０からの着信メロディ配信要求があった場合、その携帯電話機２０の識別情報（例えばｕｉｄ等）に対応する前記顧客別ポイントデータベース１４２における顧客別ポイントを照会する。そのポイント残数が要求された着信メロディ情報を配信するに足るものである場合には、顧客別ポイントを所定ポイント消費させた後、上記携帯電話機２０に所望の着信メロディを配信するが、ポイント残数が要求された着信メロディ情報を配信するに足りないものである場合には、その旨を上記携帯電話機２０に通知すると共に着信メロディ情報の配信は行わない。
【００３６】
利用結果通知手段１４６は、前記携帯電話機２０を入力装置として用いた前記カラオケ装置１２への入力に応じてその携帯電話機２０の識別情報を含む前記カラオケ装置１２の利用結果を前記音楽情報配信サーバ１８に通知する。この利用結果は、例えば、前記カラオケ装置１２における前記カラオケ演奏曲の演奏曲数や演奏時間等の情報を含むものであり、好適には、顧客がカラオケボックス等において所定のカラオケ装置１２を用いたカラオケ演奏を終えたことが判断された時点でその演奏に関する情報が前記カラオケサーバ１６で処理された後、そのカラオケサーバ１６から前記音楽情報配信サーバ１８へ送信される。
【００３７】
利用結果反映手段１４８は、前記カラオケ装置１２の利用結果をそのカラオケ装置１２の顧客或いは利用機器による前記着信メロディ情報の配信に反映させる。好適には、前記カラオケ装置１２の利用結果に応じて、そのカラオケ装置１２において入力装置として用いられた携帯電話機１２の識別番号に対応する前記顧客別ポイントデータベース１４２に記憶されたポイントを所定ポイント加算する。例えば、前記カラオケ演奏曲の演奏曲数に比例するポイント（例えば１０曲につき１ｐ）を加算する。また、前記カラオケ演奏曲の演奏時間に比例するポイント（例えば２時間につき１ｐ）を加算する。
【００３８】
配信結果反映手段１５０は、前記音楽情報配信システム６の配信結果をその音楽情報配信システム６の顧客或いは利用機器による前記カラオケサービス８に反映させる。好適には、所定の顧客による前記着信メロディ情報のダウンロード数に応じて所定の情報を提供する。上記配信手段１４４は、好適には、所定の携帯電話機２０による前記着信メロディ情報のダウンロード総数が所定数（例えば１０曲）に達した場合には、未発表曲の演奏や所定のアーティストからのメッセージ等の特典情報を提供するための特典要求コードをその携帯電話機２０に送信するものであり、この特典要求コードを受け取った携帯電話機２０により前記カラオケ装置１２への入力が行われると、その特典要求コードがそのカラオケ装置１２へ送信されるようになっている。上記配信結果反映手段１５０は、前記携帯電話機２０から斯かる特典要求が送られてきたという通知を前記カラオケ装置１２から受けた場合には、前記特典データベース１２０から所定の特典情報を読み出してそのカラオケ装置１２に配信する。そして、そのカラオケ装置１２では、前記携帯電話機２０からの要求があった特典情報が映像或いは音楽等として出力される。
【００３９】
図７は、前記カラオケサーバ１６のＣＰＵ１００によるカラオケサービス制御を説明するフローチャートであり、所定の周期で繰り返し実行されるものである。
【００４０】
先ず、ステップ（以下、ステップを省略する）ＳＡ１において、前記携帯電話機２０を入力装置として前記カラオケ装置１２への入力が行われことがそのカラオケ装置１２から通知されたか否かが判断される。このＳＡ１の判断が否定される場合には、ＳＡ４以下の処理が実行されるが、ＳＡ１の判断が肯定される場合には、ＳＡ２において、ＳＡ１にて通知された入力装置である携帯電話機２０の識別番号が前記音楽情報配信サーバ１８への利用結果通知対象であるか否かが判断される。このＳＡ２の判断が肯定される場合には、前記利用結果通知手段１４６の動作に対応するＳＡ３において、前記携帯電話機２０を入力装置としての前記カラオケ装置１２への入力に応じてその携帯電話機２０の識別情報を含む前記カラオケ装置１２の利用結果が前記音楽情報配信サーバ１８に通知された後、本ルーチンが終了させられるが、ＳＡ２の判断が否定される場合には、ＳＡ４において、前記携帯電話機２０から前記カラオケ装置１２へ所定の特典要求があったことがそのカラオケ装置１２から通知されたか否かが判断される。このＳＡ４の判断が否定される場合には、それをもって本ルーチンが終了させられるが、ＳＡ４の判断が肯定される場合には、前記配信結果反映手段１５０の動作に対応するＳＡ５において、前記特典データベース１２０から所定の特典情報が読み出されて前記カラオケ装置１２に送信された後、本ルーチンが終了させられる。
【００４１】
図８は、前記音楽情報配信サーバ１８のＣＰＵ１２２による着信メロディ情報配信制御について説明するフローチャートであり、所定の周期で繰り返し実行されるものである。
【００４２】
先ず、ＳＢ１において、前記カラオケサーバ１６から利用結果が通知されたか否かが判断される。このＳＢ１の判断が肯定される場合には、前記利用結果反映手段１４８の動作に対応するＳＢ２において、前記カラオケ装置１２の利用結果に応じて、そのカラオケ装置１２において入力装置として用いられた携帯電話機１２の識別番号に対応する前記顧客別ポイントデータベース１４２に記憶されたポイントが加算された後、本ルーチンが終了させられるが、ＳＢ１の判断が否定される場合には、ＳＢ３において、前記携帯電話機２０から所定の着信メロディ情報の配信要求があったか否かが判断される。このＳＢ３の判断が否定される場合には、それをもって本ルーチンが終了させられるが、ＳＢ３の判断が肯定される場合には、前記配信手段１４４の動作に対応するＳＢ４において、配信要求のあった携帯電話機２０の識別情報に対応する前記顧客別ポイントデータベース１４２における顧客別ポイントが照会され、そのポイント残数が要求された着信メロディ情報を配信するに足るものである場合には、顧客別ポイントを所定ポイント消費させた後、前記携帯電話機２０に所望の着信メロディが配信される。次に、ＳＢ５において、配信要求のあった携帯電話機２０による前記着信メロディ情報のダウンロード総数が所定数に達したか否かが判断される。このＳＢ５の判断が否定される場合には、それをもって本ルーチンが終了させられるが、ＳＢ５の判断が肯定される場合には、配信要求のあった携帯電話機２０に所定の特典要求コードが配信された後、本ルーチンが終了させられる。
【００４３】
このように、本実施例によれば、前記カラオケシステム８の利用結果をそのカラオケシステム８の顧客或いは利用機器による前記音楽情報の配信に反映させる利用結果反映手段１４８（ＳＢ２）を含むことから、前記音楽情報配信システム６において特典を得るために前記カラオケシステム８の利用が促進され、延いてはそれら双方の利用促進が実現される。すなわち、音楽情報配信システム６及びカラオケシステム８の利用を相補的に促進する連携システム１０を提供することができる。
【００４４】
また、前記音楽情報配信システム６は、顧客毎に定められたポイントの消費と引き換えに前記音楽情報を配信するものであり、前記利用結果反映手段１４８は、前記カラオケシステム８の利用結果に応じて前記ポイントを加算するものであるため、前記音楽情報をダウンロードするためのポイントを得るために前記カラオケシステム８の利用が促進されるという利点がある。
【００４５】
また、前記利用結果反映手段１４８は、前記カラオケ演奏曲の演奏曲数に応じて前記ポイントを加算するものであるため、実用的な態様で前記音楽情報配信システム６及びカラオケシステム８の利用を相補的に促進できるという利点がある。
【００４６】
また、前記利用結果反映手段１４８は、前記カラオケ演奏曲の演奏時間に応じて前記ポイントを加算するものであるため、実用的な態様で前記音楽情報配信システム６及びカラオケシステム８の利用を相補的に促進できるという利点がある。
【００４７】
また、前記携帯電話機２０は、前記カラオケシステム８への入力を行うための利用機器として機能するものであり、そのカラオケシステム８は、前記携帯電話機２０による入力に応じてその携帯電話機２０の識別情報を含む利用結果を前記音楽情報配信システム６に通知する利用結果通知手段１４６（ＳＡ３）を含むものであるため、前記音楽情報配信システム６及びカラオケシステム８に共通して用いられる携帯電話機２０を介して前記利用結果を通知することで、実用的な態様で前記音楽情報配信システム６及びカラオケシステム８の利用を相補的に促進できるという利点がある。
【００４８】
また、前記音楽情報配信システム６の配信結果をその音楽情報配信システム６の顧客或いは利用機器による前記カラオケサービス８に反映させる配信結果反映手段１５０（ＳＡ５）を含むことから、前記カラオケシステム８において特典を得るために前記音楽情報配信システム６の利用が促進され、延いてはそれら双方の利用促進が実現される。すなわち、音楽情報配信システム６及びカラオケシステム８の利用を相補的に促進する連携システム１０を提供することができる。
【００４９】
また、前記配信結果反映手段１５０は、所定の顧客による前記音楽情報のダウンロード数に応じて所定の情報を提供するものであるため、例えば、未発表曲の演奏や所定のアーティストからのメッセージ等の特典情報を得るために前記音楽情報配信システム６の利用が促進されるという利点がある。
【００５０】
以上、本発明の好適な実施例を図面に基づいて詳細に説明したが、本発明はこれに限定されるものではなく、更に別の態様においても実施される。
【００５１】
例えば、前述の実施例におけるカラオケシステム８は、前記携帯電話機２０による入力に応じてその携帯電話機２０の識別情報を含む利用結果を前記音楽情報配信システム６に通知する利用結果通知手段１４６を含むものであったが、例えば、図９に示すような前記カラオケシステム８の利用結果を示す二次元コード１５２を前記カラオケ装置１２の映像表示装置２４等に表示させるものであってもよい。この場合、前記携帯電話機２０は、好適には、このようにして表示された二次元コード１５２を撮像装置であるＣＣＤ撮像部８８により撮像することで前記利用結果を前記音楽情報配信システム６に通知し得るものである。このようにしても、前記音楽情報配信システム６及びカラオケシステム８に共通して用いられる携帯電話機２０を介して前記利用結果を通知することで、実用的な態様で前記音楽情報配信システム６及びカラオケシステム８の利用を相補的に促進できる。
【００５２】
また、前述の実施例では、前記カラオケシステム８の利用結果をそのカラオケシステム８の顧客或いは利用機器による前記音楽情報の配信に反映させると共に、前記音楽情報配信システム６の配信結果をその音楽情報配信システム６の顧客或いは利用機器による前記カラオケシステム８によるカラオケサービスに反映させる双方向性の連携システム１０について説明したが、例えば、前記カラオケシステム８の利用結果をそのカラオケシステム８の顧客或いは利用機器による前記音楽情報の配信に反映させるのみ、或いは、前記音楽情報配信システム６の配信結果をその音楽情報配信システム６の顧客或いは利用機器による前記カラオケシステム８によるカラオケサービスに反映させるのみというように、一方向性の連携システムであっても当然に構わない。
【００５３】
また、前述の実施例において、前記利用結果通知手段１４６は、前記カラオケサーバ１６に機能的に備えられたものであったが、この制御機能は、前記カラオケ装置１２に機能的に備えられるものであってもよい。この場合、前記カラオケ装置１２による利用結果が前記通信回線１４を介して前記音楽情報配信サーバ１８へ直接送信される。更には、前記カラオケシステム８の利用結果を前記音楽情報配信システム６へ通知し得るものならその態様は問わず、例えば、前記カラオケ装置１２の映像表示装置２４に所定のＵＲＬを表示させ、顧客がパソコン等を介してそのＵＲＬにより示されるウェブサイトにアクセスすることにより前記カラオケシステム８の利用結果を前記音楽情報の配信に反映させる等といった態様も考えられる。
【００５４】
また、前述の実施例において、前記配信結果反映手段１５０は、前記携帯電話機２０から特典要求が送られてきたという通知を前記カラオケ装置１２から受けた場合には、前記特典データベース１２０から所定の特典情報を読み出してそのカラオケ装置１２に配信するものであったが、例えば、特典情報の出力が所望されるカラオケ装置１２のＩＰ情報を含む特典要求を前記携帯電話機２０から直接受け、その特典要求に応じた特典情報を前記特典データベース１２０から読み出してその特典要求に含まれるＩＰ情報に対応するカラオケ装置１２へ出力する等といった態様も考えられる。
【００５５】
また、前述の実施例において、前記配信結果反映手段１５０は、前記カラオケサーバ１６に機能的に備えられたものであったが、この制御機能は、前記カラオケ装置１２に機能的に備えられるものであってもよい。この場合、前記特典データベース１２０は、前記カラオケ装置１２のハードディスク４４等に設けられ、前記携帯電話機２０から特典要求があった場合には、そのハードディスク４４から所定の特典情報が読み出されて出力される。
【００５６】
また、前述の実施例では、前記携帯電話機２０の識別番号により顧客の識別を行うものであったが、例えば、前記音楽情報配信システム６及びカラオケシステム８に共通の顧客識別番号が定められている場合には、前記携帯電話機２０やカラオケ装置１２等によりその顧客識別番号を入力させることて顧客の識別を行うものであってもよい。この場合、例えば、顧客がカラオケボックス等において所定のカラオケ装置１２を用いたカラオケ演奏を開始する際に前記リモコン装置６０等により顧客識別番号を入力させることでその顧客の識別を行う等といった態様が考えられる。
【００５７】
その他、一々例示はしないが、本発明はその趣旨を逸脱しない範囲内において種々の変更が加えられて実施されるものである。
【図面の簡単な説明】
【００５８】
【図１】本発明の一実施例である音楽情報配信システムとカラオケシステムとの連携システムについて説明する図である。
【図２】図１のカラオケシステムにおけるカラオケ装置の構成を例示するブロック線図である。
【図３】図１のカラオケシステムの利用機器として用いられる携帯電話機の構成を例示するブロック線図である。
【図４】図１のカラオケシステムにおけるカラオケサーバの構成を説明するブロック線図である。
【図５】図１の音楽情報配信システムにおける音楽情報配信サーバの構成を説明するブロック線図である。
【図６】図１の連携システムに備えられた制御機能の要部を説明する機能ブロック線図である。
【図７】図４のカラオケサーバのＣＰＵによるカラオケサービス制御を説明するフローチャートである。
【図８】図５の音楽情報配信サーバのＣＰＵによる着信メロディ情報配信制御について説明するフローチャートである。
【図９】図２のカラオケ装置に表示される二次元コードを例示する図である。
【符号の説明】
【００５９】
６：音楽情報配信システム
８：カラオケシステム
１０：連携システム
１４：通信回線
２０：携帯電話機
８８：ＣＣＤ撮像部（撮像装置）
１４６：利用結果通知手段
１４８：利用結果反映手段
１５０：配信結果反映手段
１５２：二次元コード
【図１】
2006106285.tif 000003
【図２】
2006106285.tif 000004
【図３】
2006106285.tif 000005
【図４】
2006106285.tif 000006
【図５】
2006106285.tif 000007
【図６】
2006106285.tif 000008
【図７】
2006106285.tif 000009
【図８】
2006106285.tif 000010
【図９】
2006106285.tif 000011